(57)【要約】【課題】多目的利用が可能であるとともに、汚れたときには袋ごと洗濯することができる携帯用袋及びその製作方法を提供すること。【解決手段】綿製布４の両短辺部を他面側に折り曲げて形成される一対の紐通し部６ａ，６ｂと、綿製布４の中間部分の片側の第１〜第４部分をそれらの一面側が対面するように折り曲げて形成される片側袋状部３１ａと、綿製布４のの他側の第１〜第４部分をそれらの一面側が対面するように折り曲げて形成される他側袋状部３１ｂと、一対の紐通し部の一端側から片側袋状部３１ａ及び他側袋状部３１ｂの紐通し部６ａ，６ｂを通して一端側に導出するよう装着された第１紐部材４２と、一対の紐通し部の他端側からこれらの紐通し部６ａ，６ｂを通して他側に導出するように装着された第２紐部材４４と、を備えた携帯用袋。【選択図】      図７
2004345723.tif 000002
【特許請求の範囲】
【請求項１】
長方形状の布材の両短辺部を他面側に折り曲げて形成される一対の紐通し部と、前記布材の前記両短辺部を除く中間部分を実質上８等分して前記布材の片側の第１、第２、第３及び第４部分をそれらの一面側が対面するように折り曲げて形成される片側袋状部と、前記布材の他側の第１、第２、第３及び第４部分をそれらの一面側が対面するように折り曲げて形成される他側袋状部と、前記一対の紐通し部の一端側から前記片側袋状部の前記紐通し部及び前記他側袋状部の前記紐通し部を通して前記一端側に導出するよう装着された第１紐部材と、前記一対の紐通し部の他端側から前記他側袋状部の前記紐通し部及び前記片側袋状部の前記紐通し部を通して前記他側に導出するように装着された第２紐部材と、を備えたことを特徴とする携帯用袋。
【請求項２】
前記片側袋状部の前記第１及び第２部分の前記一面側が外側になるように裏返すとともに、前記他側袋状部の前記第１及び第２部分の前記一面側が外側となるように裏返して第１使用態様で使用され、この第１使用態様においては、前記片側袋状部及び前記他側袋状部は、それぞれ、前記第３及び第４部分の前記一面側が対面する袋部と、前記第１及び第４部分の他面側が対面する袋部を有する請求項１に記載の携帯用袋。
【請求項３】
前記片側袋状部の前記第３及び第４部分の前記一面側が外側になるように裏返すとともに、前記他側袋状部の前記第３及び第４部分の前記一面側が外側になるように裏返して第２使用態様で使用され、この第２使用態様においては、前記片側袋状部及び前記他側袋状部は、それぞれ、前記第１及び第２部分の前記一面側が対面する袋部と、前記第１及び第４部分の前記他面側が対面する袋部を有する請求項１に記載の携帯用袋。
【請求項４】
前記片側袋状部の前記第１、第２、第３及び第４部分の前記一面側が外側になるように裏返すとともに、前記他側袋状部の前記第１、第２、第３及び第４部分の前記一面側が外側になるように裏返して第３使用形態で使用され、この第３使用形態においては、前記片側袋状部の前記第１、第２、第３及び第４部分の前記他面側と前記他側袋状部の前記第１、第２、第３及び第４部分の前記他面側によって、一つの袋部が構成される請求項１に記載の携帯用袋。
【請求項５】
長方形状の布材を用いて携帯用袋を製作する製作方法において、前記布材の両短辺部を他面側に折り曲げて一対の紐通し部を形成し、次いで、前記布材の前記両短辺部を除く中間部分を実質上８等分して前記布材の片側の第１、第２、第３及び第４部分をそれらの一面側が対面するように折り曲げて片側袋状部を形成するとともに、前記布材の他側の第１、第２、第３及び第４部分をそれらの一面側が対面するように折り曲げて他側袋状部を形成し、次に、前記片側袋状部及び前記他側袋状部の両側部を縫い付け、その後前記一対の紐通し部を縫い付け、その後更に、前記一対の紐通し部の一端側から前記片側袋状部の前記紐通し部及び前記他側袋状部の前記紐通し部を通して前記一端側に第１紐部材を導出するとともに、前記一対の紐通し部の他端側から前記他側袋状部の前記紐通し部及び前記片側袋状部の前記紐通し部を通して前記他側に第２紐部材を導出することを特徴とする携帯用袋の製作方法。
【発明の詳細な説明】
【０００１】
【発明の属する技術分野】
本発明は、長方形状の布材を用いて製作される携帯用袋及びその製作方法に関する。
【０００２】
【従来の技術】
例えば、外出時に財布、ハンカチ、タオル、ティッシュ又は化粧品などの小物を携帯するための袋として鞄、巾着又はナップザックなどが広く用いられている。これらの袋は、皮材、布材又はプラスチックフィルムなどから形成されており、一つあるいは複数の袋部を有し、袋部の開口部が紐、ファスナー又は粘着テープなどで開閉可能に構成され、袋部に収容された内容物が簡単に取り出せるとともに、外に出てこないようになっている。
【０００３】
【発明が解決しようとする課題】
これらの携帯用袋は、通常、既製品として、それぞれの目的に応じた使用を考慮して、一定の形態として形成されて販売されている。そのため、使用者は、内容物の形状、大きさなどを考慮して、その目的に応じたものを購入しなければならない。また、これらの携帯用袋は、汚れた場合、その部分だけをもみ洗いしたり、クリーナーで部分的に汚れを落としたりするしかなく、袋自体をそのまま洗うことは難しく、その取扱い、管理が容易でない。
【０００４】
本発明の目的は、多目的利用が可能であるとともに、汚れたときには袋ごと洗濯することができる携帯用袋及びその製作方法を提供することである。
【０００５】
【課題を解決するための手段】
本発明の請求項１に記載の携帯用袋は、長方形状の布材の両短辺部を他面側に折り曲げて形成される一対の紐通し部と、前記布材の前記両短辺部を除く中間部分を実質上８等分して前記布材の片側の第１、第２、第３及び第４部分をそれらの一面側が対面するように折り曲げて形成される片側袋状部と、前記布材の他側の第１、第２、第３及び第４部分をそれらの一面側が対面するように折り曲げて形成される他側袋状部と、前記一対の紐通し部の一端側から前記片側袋状部の前記紐通し部及び前記他側袋状部の前記紐通し部を通して前記一端側に導出するよう装着された第１紐部材と、前記一対の紐通し部の他端側から前記他側袋状部の前記紐通し部及び前記片側袋状部の前記紐通し部を通して前記他側に導出するように装着された第２紐部材と、を備えたことを特徴とする。
【０００６】
また、本発明の請求項５に記載の携帯用袋の製作方法は、長方形状の布材を用いて携帯用袋を製作する製作方法において、前記布材の両短辺部を他面側に折り曲げて一対の紐通し部を形成し、次いで、前記布材の前記両短辺部を除く中間部分を実質上８等分して前記布材の片側の第１、第２、第３及び第４部分をそれらの一面側が対面するように折り曲げて片側袋状部を形成するとともに、前記布材の他側の第１、第２、第３及び第４部分をそれらの一面側が対面するように折り曲げて他側袋状部を形成し、次に、前記片側袋状部及び前記他側袋状部の両側部を縫い付け、その後前記一対の紐通し部を縫い付け、その後更に、前記一対の紐通し部の一端側から前記片側袋状部の前記紐通し部及び前記他側袋状部の前記紐通し部を通して前記一端側に第１紐部材を導出するとともに、前記一対の紐通し部の他端側から前記他側袋状部の前記紐通し部及び前記片側袋状部の前記紐通し部を通して前記他側に第２紐部材を導出することを特徴とする。
【０００７】
この携帯用袋においては、布材の片側（及び他側）にて、第１及び第２部分の一面側が相互に対面するように、また第３及び第４部分の一面側が相互に対面するように折り曲げて片側袋状部（及び他側袋状部）が形成され、従って、この製作基本的形態においては、片側袋状部（及び他側袋状部）は、第１及び第２部分の一面側により規定される袋部と、第３及び第４部分の一面側により規定される袋部とを有する。また、布材の両短辺部を他面側に折り曲げて紐通し部が形成され、第１紐部材は一対の紐通し部の一端側からこれら紐通し部を通してこの一端側に導出され、第２紐部材は一対の紐通し部の他端側からこれら紐通し部を通してこの他端側に導出され、従って、第１及び第２紐部材を相互に反対方向に引っ張ることによって、片側袋状部及び他側袋状部の開口部を閉じることができる。
【０００８】
このような携帯用袋は、布材として家庭内にある綿製布、例えばタオルなどを用いて作成することができ、このようなタオルを用いることによって、汚れたときには袋ごと洗濯することができ、常に清潔さを維持することができる。また、タオルは柔軟性があり、その形状を自在に変形することができるので、この携帯用袋は、内容物の形状に制限されることなく、多目的利用が可能である。
【０００９】
本発明の請求項２に記載の携帯用袋では、前記片側袋状部の前記第１及び第２部分の前記一面側が外側になるように裏返すとともに、前記他側袋状部の前記第１及び第２部分の前記一面側が外側となるように裏返して第１使用態様で使用され、この第１使用態様においては、前記片側袋状部及び前記他側袋状部は、それぞれ、前記第３及び第４部分の前記一面側が対面する袋部と、前記第１及び第４部分の他面側が対面する袋部を有することを特徴とする。
【００１０】
この携帯用袋においては、上述した製作基本形態の状態から片側袋状部及び他側袋状部の第１及び第２部分の一面側が外側になるように裏返して使用することができ、この第１使用形態においては、片側袋状部及び他側袋状部における第３及び第４部分の一面側によって、携帯用袋の片面にて一つの袋部を規定し、それらの第１及び第４部分の他面側によって、携帯用袋の他面にて一つの袋部を規定する。携帯用袋の片面及び他面の袋部はその内容量がある程度大きく、従って、いずれか一方の袋部には比較的大きな内容物、例えばティッシュケースなどのようなものを収納することができ、残りの袋部には、比較的大きくて薄い内容物又は比較的小さくて薄い内容物、例えばハンカチやポケットティッシュのようなものを収納することができる。
【００１１】
また、本発明の請求項３に記載の携帯用袋では、前記片側袋状部の前記第３及び第４部分の前記一面側が外側になるように裏返すとともに、前記他側袋状部の前記第３及び第４部分の前記一面側が外側になるように裏返して第２使用態様で使用され、この第２使用態様においては、前記片側袋状部及び前記他側袋状部は、それぞれ、前記第１及び第２部分の前記一面側が対面する袋部と、前記第１及び第４部分の前記他面側が対面する袋部を有することを特徴とする。
【００１２】
この携帯用袋においては、上述した製作基本形態の状態から片側袋状部及び他側袋状部の第３及び第４部分の一面側が外側になるように裏返して使用することができ、この第２使用形態においては、携帯用袋の片面側にて、第１及び第４部分の他面側によって内側の袋部が規定されるとともに、第１及び第２部分の一面側によって外側袋部が規定される。従って、携帯用袋の片側に比較的大きな二つの袋部が設けられ、内側袋部には比較的大きな内容物、例えばティッシュケースなどのようなものを収納することができ、外側袋部には比較的大きくて薄い内容物又は比較的小さくて薄い内容物、例えばハンカチやポケットティッシュのようなものを収納することができる。
【００１３】
また、本発明の請求項４に記載の携帯用袋では、前記片側袋状部の前記第１、第２、第３及び第４部分の前記一面側が外側になるように裏返すとともに、前記他側袋状部の前記第１、第２、第３及び第４部分の前記一面側が外側になるように裏返して第３使用形態で使用され、この第３使用形態においては、前記片側袋状部の前記第１、第２、第３及び第４部分の前記他面側と前記他側袋状部の前記第１、第２、第３及び第４部分の前記他面側によって、一つの袋部が構成されることを特徴とする。
【００１４】
この携帯用袋においては、上述した製作基本形態の状態から片側袋状部及び他側袋状部の第１、第２、第３及び第４部分の一面側が外側になるように裏返して使用され、この第３使用形態においては携帯用袋の片側にて片側袋状部及び他側袋状部の第１〜第４部分によって大きな一つの袋部が形成され、従って、より大きな内容物、例えば菓子缶、着替えなどを収容することができる。
【００１５】
【発明の実施の形態】
以下、添付図面を参照して、更に詳細に説明する。
携帯用袋の製作方法
まず、図１〜図７を参照して、本発明に従う携帯用袋の製作方法について説明する。図１は、携帯用袋を作成する材料としての布材をを完全に広げた状態を示す平面図であり、図２は、図１の布材の短辺側に紐通し部を設けるために折り曲げた状態を示す部分斜視図であり、図３は、図２の状態から布材の片側の第３及び第４部分の一面側が対面するように折り曲げた状態を示す部分斜視図であり、図４は、図３の状態から布材の片側の第１及び第２部分の一面が対面するように折り曲げた状態を示す部分斜視図であり、図５は、図４の状態から折り曲げられた布材の片側の袋状部の側部を縫い付けた状態を示す部分斜視図であり、図６は、図５の状態から布材の短辺部を縫い付けた状態を示す部分斜視図であり、図７は、片側袋状部及び他側袋状部の紐通し部に第１及び第２紐部材を通した状態を示す斜視図である。
【００１６】
携帯用袋は、図１に示すような布材１を用いて製作される。尚、以下の説明において、製作手順の理解を容易にするために、布材の片面、図１において紙面表側を一面側（内面側）とし、図１において紙面裏側を他面側（外面側）として説明する。布材１は、例えばタオル、手ぬぐいなどの綿製布４などを好都合に用いることができ、このような綿製布を用いることによって身近な布材を利用して手軽に製作することができる。このような布材１を用いて製作する場合、文字、図形、広告などが書かれている側を一面側（図１において表側）となるようにし、文字などが書かれていない側を他面側（図１において裏側）とするのが好ましく、このようにすることによって、後述する各種使用形態において、文字などが書かれている側が携帯用袋の外側となる。
【００１７】
綿製布４として通常の大きさのタオルを用いる場合、その長手方向（図１〜図７において左右方向）の長さＬは例えば８４ｃｍ程度に、幅方向（図１〜図７において上下方向）の幅Ｗは３２ｃｍ程度に、紐通し部６ａ，６ｂの大きさＬ１は４ｃｍ程度に設定される。また、綿製布４の長手方向における両短辺部１０ａ，１０ｂ（紐通し部６ａ，６ｂを形成するために折り曲げられる部分）を除く中間部分が実質上８等分され、短辺部１０ａ，１０ｂから長辺（長手方向の辺）８ａ，８ｂの中心を結ぶ長手方向中心線１２の方向（図１において両端側から内側）に実質上均等な幅でそれぞれ第１部分１４ａ，１４ｂ、第２部分１６ａ，１６ｂ、第３部分１８ａ，１８ｂ及び第４部分２０ａ，２０ｂとなり、各部分１４ａ〜２０ａ，１４ｂ〜２０ｂの長さＬ２は９．５ｃｍ程度となる。
【００１８】
この製作方法では、第１〜第４部分１４ａ〜２０ａ、１４ｂ〜２０ｂは、後述するように、それらの一面側が対面するように折り曲げられるようになり、従って、第１部分１４ａ，１４ｂと第２部分１６ａ、１６ｂとの境目が、それぞれ、谷折りの折り目部２２ａ，２２ｂとなり、第２部分１６ａ，１６ｂと第３部分１８ａ、１８ｂとの境目が、それぞれ、山折りの折り目部２４ａ，２４ｂとなり、第３面部１８ａ，１８ｂと第４面部２０ａ，２０ｂとの境目が、それぞれ、谷折りの折り目部２６ａ，２６ｂとなる。また、短辺部１０ａ，１０ｂは、後述するように他面側に折り曲げられるので、第１部分１４ａ，１４ｂと短辺部１０ａ，１０ｂとの境目が、それぞれ、山折りの折り目部２８ａ，２８ｂとなる。
【００１９】
このような綿製布４を用いて携帯用袋２（図７参照）を製作するには、次のようにして製作することができるが、この説明においては、図１における中心線１２から長手方向右側部分（参照番号において「ａ」を付した部分）についての製作を説明し、その左側部分（参照番号において「ｂ」を付した部分）についての製作を省略するが、この左側部分の製作方法は、その右側部分の製作方法と実質上同様に行われる。
【００２０】
携帯用袋２を製作するには、まず、図２に示すように、綿製布４の短辺部１０ａを折り目部２８ａで山折りして他面側に折る。次に、図３に示すように、中心線１２と折り目部２４ａが重なるとともに、第４部分２０ａ及び第３部分１８ａの一面側が相互に対面するように、折り目部２６ａで谷折りする。次いで、図４に示すように、折り目部２４ａと折り目部２８ａが重なるとともに、第２部分１６ａ及び第１部分１４ａの一面側が相互に対面するように、折り目部２４ａで山折りするとともに、折り目部２２ａで谷折りする。このように折り曲げると、綿製布４の中心線１２、折り目部２４ａ及び折り目部２８ａが上下方向に重なるとともに、折り目部２２ａ及び折り目部２６ａが上下方向に重なるようになる。
【００２１】
その後、上述した如く折り曲げた綿製布４に、次のように縫製が行われる。まず、図５に示すように、折り曲げられて重なっている第１〜第４部分１４ａ〜２０ａの長辺８ａの側端部（後述する袋状部の側部）が一体となるように縫製糸３０によって縫製される。このとき、短辺部１０ａの長辺８ａの側端部は縫製糸３０によって縫製されないようにする。同様に、図示していないが、第１〜第４部分１４ａ〜２０ａの他方の長辺８ｂの側端部も一体となるように縫製を行う。このように縫製を行うと、綿製布４の片側に袋状部３１ａが形成され、この袋状部３１ａは、第１及び第２部分１４ａ，１６ａの一面側が対面する外側袋部３２ａと、第３及び第４部分１８ａ，２０ａの一面側が対面する内側袋部３４ａとを有し、この片側に二つの袋部３２ａ，３４ａが設けられる。
【００２２】
次に、図６に示すように、綿製布４の短辺部１０ａが第１部分１４ａに縫製糸３６によって縫製される。このとき、短辺部１０ａは第１部分１４ａに縫製されるが、第２〜第４部分１６ａ〜２０ａとは縫製されることはなく、それ故に、この短辺部１０ａは第１部分１４ａの一部とともに幅方向に筒状に延びる紐通し部６ａを構成する。
【００２３】
上述したようにして綿製布４の片側に紐通し部６ａを有する袋状部３１ａが形成され、同様にして綿製布４の他側にも紐通し部６ａを有する袋状部３１ｂが形成される（図７参照）。しかる後、図７に示すように、片側袋状部３１ａの紐通し部６ａ及び他側袋通し部３１ｂの紐通し部６ｂを通して第１及び第２紐部材４２，４４が取り付けられる。即ち、図７に示す状態において、第１紐部材４２は、例えば、一対の紐通し部６ａ，６ｂの一端側から片側袋状部３１ａの紐通し部６ａを通してそれらの他端側に延び、この他端側から他側袋状部３１ｂの紐通し部６ｂを通してそれらの一端側に延び、この一端側に導出している両端部４２ａ，４２ｂが所要の通りに結んで接続される。また、第２紐部材４４は、例えば、一対の紐通し部６ａ，６ｂの他端側から片側袋状部３１ａの紐通し部６ａを通してそれらの一端側に延び、この一端側から他側袋状部３１ｂの紐通し部６ｂを通してそれらの他端側に延び、この他端側に導出している両端部４４ａ，４４ｂが所要の通りに結んで接続される。従って、第１及び第２紐部材４２，４４が交差して一対の紐通し部６ａ，６ｂを通して取り付けられるので、第１及び第２紐部材４２，４４の例えば結び目をそれぞれ反対方向に引っ張っることによって、片側袋状部３１ａ及び他側袋状部３１ｂの開口部を締め付けて閉じることができ、また第１及び第２紐部材４２，４４による締付けを開放することによって、それらの開口部を開けることができる。
【００２４】
この携帯用袋１は、上述した状態が製作基本形態となり、この製作基本形態から次のような各種使用形態に変えて使用することができる。
第１使用形態
まず、図８を参照して、上述した携帯用袋２の第１使用形態について説明する。図８は、携帯用袋の第１使用形態における他側半分を示す斜視図であり、この図８では携帯用袋の片側半分を省略しているが、左側半分と同様に構成される。
【００２５】
図８において、この第１使用形態では、図７に示すように製作された携帯用袋２の製作基本形態の状態において、開口部を通して手を入れ、片側袋状部３１ａ及び他側袋状部３１ｂの第１部分１４ａ，１４ｂ及び第２部分１６ａ，１６ｂの一面側が外側（表側）になるように裏返して使用する。この第１使用形態では、携帯用袋２の片側においては、第１部分１４ａ，１４ｂの一面側が外側となり、その他側においては第２部分１６ａ，１６ｂの一面側が外側となり、従って、綿製布４の文字、図形、広告などが書かれている一面側が携帯用袋２の外面となり、文字などが見えて外観の見栄えが良くなるとともに、この部分に広告などを施すことによって、広告宣伝機能を持たせることができる。
【００２６】
この第１使用形態では、片側袋状部３１ａ及び他側袋状部３１ｂの第１部分１４ａ、１４ｂの他面側とそれらの第４部分２０ａ，２０ｂの他面側とが対面して携帯用袋２の片側にて比較的大きな一つの袋部（この袋部は、片側袋状部３１ａのものと他側袋状部３１ｂのを合わせて一つのものを構成しているが、片側袋状部３１ａのものと他側袋状部３１ｂのものとを別個の袋部として機能させるように用いることもできる）を規定する。また、片側袋状部３１ａ及び他側袋状部３１ｂの第３部分１８ａ、１８ｂの一面側とそれらの第４部分２０ａ，２０ｂの一面側とが対面して携帯用袋２の他側にて比較的大きな一つの袋部（この袋部も、上述したと同様に、片側袋状部３１ａのものと他側袋状部３１ｂのを合わせて一つのものを構成しているが、片側袋状部３１ａのものと他側袋状部３１ｂのものとを別個の袋部として機能させるように用いることもできる）を規定する。
【００２７】
この第１使用形態では、携帯用袋２の両面に比較的大きい袋部を形成することができ、通常の大きさのタオルを用いて形成した場合、例えば、長さ２４ｃｍｘ幅１７ｃｍｘ高さ５ｃｍ程度の大きさのティッシュケースなどをそのまま箱ごと収容することができる。尚、一方の袋部に比較的大きな内容物を収容したときには、他方の袋部に比較的大きな内容物を収容することができず、このようなときには、残りの袋部には比較的小さなもの、例えば、ハンカチやポケットテッシュ、小物入れなどを収容して携帯することができる。そして、例えば屋外でこの携帯用袋２を使用する場合、第１及び第２紐部材４２，４４をそれぞれ結んで輪状にすることによって、フックや小枝などの突起物にぶらさげて使用することができるので便利である。
【００２８】
第２使用形態
次に、図９を参照して、上述した携帯用袋２の第２使用形態について説明する。図９は、携帯用袋の第２使用形態を示す斜視図である。
【００２９】
図９において、この第２使用形態では、図７に示すように製作された携帯用袋２の製作基本形態の状態において、開口部を通して手を入れ、片側袋状部３１ａ及び他側袋状部３１ｂの第３部分１８ａ，１８ｂ及び第４部分２０ａ，２０ｂの一面側が外側（表側）になるように裏返して使用する。この第２使用形態では、携帯用袋２の片側においては、第３部分１８ａ，１８ｂの一面側が外側となり、その他側においては第４部分２０ａ，２０ｂの一面側が外側となり、従って、この使用形態においても、綿製布４の文字、図形などが書かれている一面側が携帯用袋２の外面となり、文字などが見えて外観の見栄えが良くなるとともに、この部分に広告などを施すことによって、広告宣伝機能を持たせることができる。
【００３０】
この第２使用形態では、携帯用袋２の片側において、片側袋状部３１ａ及び他側袋状部３１ｂの第１部分１４ａ，１４ｂの他面側とそれらの第４部分２０ａ，２０ｂの他面側とが対面して比較的大きな内側の袋部（この袋部は、上述したと同様に、片側袋状部３１ａのものと他側袋状部３１ｂのを合わせて一つのものを構成するが、片側袋状部３１ａのものと他側袋状部３１ｂのものとを別個の袋部として機能させるように用いることもできる）を規定する。また、片側袋状部３１ａ及び他側袋状部３１ｂの第１部分１４ａ，１４ｂの一面側とそれらの第２部分１６ａ，１６ｂの一面側とが対面して比較的大きな外側の袋部（この袋部も、上述したと同様に、片側袋状部３１ａのものと他側袋状部３１ｂのを合わせて一つのものを構成するが、片側袋状部３１ａのものと他側袋状部３１ｂのものとを別個の袋部として機能させるように用いることもできる）を規定する。
【００３１】
第１使用形態では、携帯用袋２の片側に一方の袋部が設けられ、その他側に他方の袋部が設けられるのに対し、この第２使用形態では、二つの袋部が携帯用袋２の片側に内側と外側に重ねて設けられるが、袋部の基本的構成自体は実質上同一であるので、第１の使用形態で収容可能な内容物を同様にして収容することができる。
【００３２】
第３使用形態
次に、図１０を参照して、上述した携帯用袋２の第３使用形態について説明する。図１０は、携帯用袋の第３使用形態を示す斜視図である。
【００３３】
図１０において、この第３使用形態では、図７に示すように製作された携帯用袋２の製作基本形態の状態において、開口部を通して手を入れ、片側袋状部３１ａ及び他側袋状部３１ｂの第１部分１４ａ，１４ｂ、第２部分１６ａ，１６ｂ、第３部分１８ａ，１８ｂ及び第４部分２０ａ，２０ｂが外側となるように裏返して使用する。この第３使用形態では、携帯用袋２の片側袋状部３１ａ及び他側袋状部３１ｂの第１〜第４部分１４ａ〜２０ａ，１４ｂ〜２０ｂの一面側が外側となり、従って、この使用形態においても、綿製布４の文字、図形などが書かれている一面側が携帯用袋２の外面となり、文字などが見えて外観の見栄えが良くなるとともに、この部分に広告などを施すことによって、広告宣伝機能を持たせることができる。
【００３４】
この第３使用形態では、図１０から理解されるように、携帯用袋２の片側袋状部３１ａ及び他側袋状部３１ｂの第１〜第４部分１４ａ〜２０ａ，１４ｂ〜２０ｂの他面側が連続して対面するので、携帯用袋２の片側に大きな一つの袋部を規定する。この袋部４８は綿製布４のほぼ全体を用いて形成され、通常の大きさのタオルを用いて携帯用袋２を製作した場合、例えば、直径１５ｃｍｘ高さ１５ｃｍ程度の大きさの円柱形容器や同程度の大きさの方形容器などを収納することができる。このような使用形態でも、タオルなどの綿製布４から形成すると、柔軟性を有するために、容器の形状に制限されることなく、大きな容器を収容し、携帯することができ、また輪状にした第１及び第２紐部材４２，４４をフックや小枝等にぶら下げて使用することができる。
【００３５】
第４使用形態
次に、図１１を参照して、上述した携帯用袋２の第４使用形態について説明する。図１１は、携帯用袋の第４使用形態を示す斜視図である。
【００３６】
図１１において、この第４使用形態では、図７に示すように製作された携帯用袋２の製作基本形態の状態において、開口部を通して手を入れ、片側袋状部３１ａ及び他側袋状部３１ｂの第１部分１４ａ，１４ｂ及び第２部分１６ａ，１６ｂの一面側が外側（表側）になるように裏返して第１使用形態にするとともに、第１紐部材４２を中空筒状部材５４を通して結び、この第１紐部材４２に筒状部材５４を取り付けている。尚、この中空筒状部材５４を第２紐部材４４に取り付けるようにしてもよい。
【００３７】
図示の使用例では、携帯用袋２の片側の袋部に、ティッシュケース５０を収容するとともに、中空筒状部材５４にタオル５２を掛けて使用している。第１及び第２紐部材４２，４４はそれぞれ結ばれて輪状に形成されるので、筒状部材５４を第１紐部材４２に保持することができ、他方の第２紐部材４４をフックや小枝などの突起物にぶら下げて使用することができる。従って、この第４使用形態では、携帯用袋２を突起物にぶらさげて、ティッシュを使用することができるとともに、濡れた手や顔などを拭くことができる。
【００３８】
以上、本発明に従う携帯用袋及びその製作方法の実施形態について説明したが、本発明はかかる実施形態に限定されるものではなく、本発明の範囲を逸脱することなく種々の変形乃至修正が可能である。
【００３９】
例えば、上述した実施形態では、布材１の片側部及び他側部をそれぞれ４つの部分にし、これら４つの部分を折り重ねて片側部及び他側部にそれぞれ２つの袋部を形成しているが、このような構成に限定されず、布材１の片側部及び他側部を例えば６つの部分にし、これら６つの部分を折り重ねて片側部及び他側部に３つの袋部を形成するようにしてもよい。
【００４０】
また、上述した実施形態では、携帯用袋２にティッシュケースを収容しているが、このようなものに限らず、靴や衣服などでもよく、これらによって汚れた場合には携帯用袋ごと洗濯して清潔さを維持することができ、また最終的には雑巾として利用することができ、非常に経済的なものである。また、携帯用袋の表面には文字、図形などを表すことができるので、各種製品名、会社名などを記載し、贈答品として使用することもでき、この場合、特に屋外でぶら下げて使用したときは広告宣伝機能を充分に発揮するものとなる。
【００４１】
【発明の効果】
本発明の請求項１に記載の携帯用袋及び請求項５に記載の携帯用袋の製作方法によれば、携帯用袋の製作基本的形態においては、その片側袋状部及び他側袋状部は、第１及び第２部分の一面側により規定される袋部と、第３及び第４部分の一面側により規定される袋部とを有し、その一部を外側に裏返すことによって、種々の使用形態で使用することができる。また、第１紐部材は一対の紐通し部の一端側からこれら紐通し部を通してこの一端側に導出され、第２紐部材は一対の紐通し部の他端側からこれら紐通し部を通してこの他端側に導出されるので、第１及び第２紐部材を相互に反対方向に引っ張ることによって、片側袋状部及び他側袋状部の開口部を閉じることができる。
【００４２】
また、本発明の請求項２に記載の携帯用袋によれば、その第１使用形態においては、片側袋状部及び他側袋状部における第３及び第４部分の一面側によって、携帯用袋の片面にて一つの袋部が規定され、それらの第１及び第４部分の他面側によって、携帯用袋の他面にて一つの袋部が規定されるので、携帯用袋の両面側に袋部を有する形態で使用することができる。
【００４３】
また、本発明の請求項３に記載の携帯用袋によれば、その第２使用形態においては、携帯用袋の片面側にて、第１及び第４部分の他面側によって内側の袋部が規定されるとともに、第１及び第２部分の一面側によって外側袋部が規定されるので、携帯用袋の片側に二つの袋部を有する形態で使用することができる。
【００４４】
また、本発明の請求項４に記載の携帯用袋によれば、その第３使用形態においては携帯用袋の片側にて片側袋状部及び他側袋状部の第１〜第４部分によって袋部が規定されるので、大きな袋部を有する形態で使用することができる。
【図面の簡単な説明】
【図１】携帯用袋を作成する材料としての布材を完全に広げた状態を示す平面図である。
【図２】図１の布材の短辺側に紐通し部を設けるために折り曲げた状態を示す部分斜視図である。
【図３】図２の状態から布材の片側の第３及び第４部分の一面側が対面するように折り曲げた状態を示す部分斜視図である。
【図４】図３の状態から布材の片側の第１及び第２部分の一面が対面するように折り曲げた状態を示す部分斜視図である。
【図５】図４の状態から折り曲げられた布材の片側の袋状部の側部を縫い付けた状態を示す部分斜視図である。
【図６】図５の状態から布材の短辺部を縫い付けた状態を示す部分斜視図である。
【図７】片側袋状部及び他側袋状部の紐通し部に第１及び第２紐部材紐を通した状態を示す斜視図である。
【図８】携帯用袋の第１使用形態における他側半分を示す斜視図である。
【図９】携帯用袋の第２使用形態を示す斜視図である。
【図１０】携帯用袋の第３使用形態を示す斜視図である。
【図１１】携帯用袋の第４使用形態を示す斜視図である。
【符号の説明】
２  携帯用袋
４  綿製布
６ａ，６ｂ  紐通し部
８ａ，８ｂ  長辺
１０ａ，１０ｂ  短辺部
１２  中心線
１４ａ，１４ｂ  第１部分
１６ａ，１６ｂ  第２部分
１８ａ，１８ｂ  第３部分
２０ａ，２０ｂ  第４部分
２２ａ〜２８ａ，２２ｂ〜２８ｂ  折り目部
３０，３６  縫製糸
３１ａ，３１ｂ  袋状部
３２ａ，３２ｂ，３４ａ，３４ｂ  袋部
４２，４４  紐部材
【図１】
2004345723.tif 000003
【図２】
2004345723.tif 000004
【図３】
2004345723.tif 000005
【図４】
2004345723.tif 000006
【図５】
2004345723.tif 000007
【図６】
2004345723.tif 000008
【図７】
2004345723.tif 000009
【図８】
2004345723.tif 000010
【図９】
2004345723.tif 000011
【図１０】
2004345723.tif 000012
【図１１】
2004345723.tif 000013